(57)【特許請求の範囲】
【請求項１】
下ケース上に上ケースを被せることで、下ケースと上ケースの間に部品収納部を形成してなる電子部品用ケースにおいて、
前記下ケースはモールド樹脂製であって前記上ケースの一部がインサート成形されて固定されており、一方前記上ケースは導電部材製であって前記下ケースに固定された部分から突出している部分を折り曲げることで下ケース上に被せられることを特徴とする電子部品用ケース。
【請求項２】
前記上ケースの下ケースに固定されている部分に対向する端辺を、上ケースを下ケース上に被せた際に下ケースに固定する構造としたことを特徴とする請求項１記載の電子部品用ケース。
【請求項３】
モールド樹脂製の下ケース上に上ケースを被せることで、下ケースと上ケースの間に部品収納部を形成してなる電子部品用ケースの製造方法において、
前記上ケースと、摺動子当接用パターン及び引出部を有する導電部材とを、導電部材等形成板上に形成し、
前記摺動子当接用パターンを部品収納部内に露出し且つ引出部を外部に突出すると共に、上ケースの一部に設けた固定部を内部に埋設するように下ケースをモールド成形して上ケースを導電部材等形成板から切り離し、
前記上ケースの前記下ケースに固定された固定部から突出している部分を折り曲げることで上ケースを下ケース上に被せることを特徴とする電子部品用ケースの製造方法。
【発明の詳細な説明】
【０００１】
【発明の属する技術分野】
本発明は、スライド式電子部品等に用いて好適な電子部品用ケース及びその製造方法に関するものである。
【０００２】
【従来の技術】
従来スライド式電子部品の中には、内部に摺動子当接用パターンを設けた下ケース内に摺動子を取り付けた摺動型物をスライド自在に収納し、その上を上ケース（カバー）で覆う構造のスライド式電子部品（スライド式スイッチ又はスライド式可変抵抗器）があった。
【０００３】
そしてこの種のスライド式電子部品は各種電子機器に利用されており、これら電子機器の小型・薄型化に伴い、その小型・薄型化が要求され、近年ではその厚みが０．５〜０．７ｍｍ程度のものまで要求されるようになった。
【０００４】
このためスライド式電子部品を構成する各部品の寸法も小さくなり、これらを組み立てることが困難になっていた。
【０００５】
【発明が解決しようとする課題】
本発明は上述の点に鑑みてなされたものでありその目的は、たとえスライド式電子部品等の各種電子部品が小型化されてもその組み立てを容易に行なうことができる電子部品用ケース及びその製造方法を提供することにある。
【０００６】
【課題を解決するための手段】
上記問題点を解決するため本発明は、下ケース上に上ケースを被せることで、下ケースと上ケースの間に部品収納部を形成してなる電子部品用ケースにおいて、前記下ケースはモールド樹脂製であって前記上ケースの一部がインサート成形されて固定されており、一方前記上ケースは導電部材製であって前記下ケースに固定された部分から突出している部分を折り曲げることで下ケース上に被せられることを特徴とする。
【０００７】
また本発明は、前記上ケースの下ケースに固定されている部分に対向する端辺を、上ケースを下ケース上に被せた際に下ケースに固定する構造としたことを特徴とする。
【０００８】
また本発明は、モールド樹脂製の下ケース上に上ケースを被せることで、下ケースと上ケースの間に部品収納部を形成してなる電子部品用ケースの製造方法において、前記上ケースと、摺動子当接用パターン及び引出部を有する導電部材とを、導電部材等形成板上に形成し、前記摺動子当接用パターンを部品収納部内に露出し且つ引出部を外部に突出すると共に、上ケースの一部に設けた固定部を内部に埋設するように下ケースをモールド成形して上ケースを導電部材等形成板から切り離し、前記上ケースの前記下ケースに固定された固定部から突出している部分を折り曲げることで上ケースを下ケース上に被せることを特徴とする。
【０００９】
【発明の実施の形態】
以下、本発明の実施の形態を図面を参照して詳細に説明する。
図１は本発明の一実施形態を用いて構成したスライド式スイッチ１の分解斜視図である。同図に示すようにこのスライド式スイッチ１は、上ケース７０の一部を固定した下ケース１０の部品収納部１１内に摺動子４０を取り付けた摺動型物５０を収納した後、前記上ケース７０を前記下ケース１０上に折り曲げて被せることで構成される。なお一体化されている下ケース１０及び上ケース７０の部分全体でケース（電子部品用ケース）１００が構成されている。以下各構成部品について説明する。
【００１０】
図２は前記ケース１００を反対側の側面から見た斜視図、図３は下ケース１０にインサート成形される３枚の導電部材２５，３０，３５と上ケース７０とを一体に形成した導電部材等形成板１１０を示す斜視図である。
【００１１】
図１〜図３に示すように下ケース１０は３枚の金属板からなる導電部材２５，３０，３５と上ケース７０の一端に形成された固定部８０（図３参照）とを、インサートした状態でモールド樹脂を上面が開放された矩形状の薄い箱型に成形して構成される。中央には摺動型物５０をスライド自在にガイドするように収納する部品収納部１１が設けられている。
【００１２】
ここで図３に示すように導電部材２５，３０，３５と上ケース７０とは、金属板（りん青銅板等）製等の導電部材等形成板１１０をプレス加工することで導電部材等形成板１１０内に引出部２９，３２，３９，７７によって連結した状態で形成される。
【００１３】
そして導電部材２５は直線状でほぼ下ケース１０の全長にわたる長さに伸びるパターン形成部２６と、パターン形成部２６の後側から突出する舌片状の引出部２９とを具備して構成されている。パターン形成部２６はその略全長にわたってＬ字状に折り曲げられた形状であり、その前面側の表面がコモン電極パターン２７となっている。コモン電極パターン２７の所定部分には、部品収納部１１の内側方向に向かって金属板を台形状に屈曲・突出してなる第二クリック部２８が設けられている。第二クリック部２８の両側面は、斜面状の当接面２８１，２８１となっている。
【００１４】
導電部材３０と導電部材３５は何れも直線状であって両者併せてほぼ下ケース１０の全長にわたる長さになるパターン形成部３１，３６と、パターン形成部３１，３６の後側から突出する舌片状の引出部３２，３９とを具備して構成されている。パターン形成部３１，３６はそのほぼ全長にわたってＬ字状に折り曲げられ、その前面側の表面がそれぞれオンオフパターン３３，３７となっている。なお両オンオフパターン３３，３７の間には、所定間隔の隙間Ｓが設けられている。
【００１５】
上ケース７０は金属板を略矩形状に形成すると共にその中央につまみ挿入穴７１を設け、その一端辺（導電部材２５，３０，３５から離れた側）に係止部７３を設け、さらに他端辺に固定部８０を設けて構成されている。即ち上ケース７０の対向する両端辺に係止部７３と固定部８０とを設けている。係止部７３は前記一端辺から突出して上方向に折り曲げられ、さらに係止部７３内にその折り曲げを容易にするためのスリット７５を設けて構成されている。固定部８０は前記他端辺から突出する折曲部７９の先端から突出して上方向に折り曲げて構成されている。
【００１６】
そして図１に示すようにケース１０内部の両側面（摺動型物５０がスライドする方向に対して平行な両側面）である両摺動子摺接面には、前記金属板２５，３０，３５に形成したコモン電極パターン２７とオンオフパターン３３，３７とが露出している。従って金属板２５に設けた第二クリック部２８はケース１０の部品収納部１１内に向かって突出している。一方オンオフパターン３３，３７間の隙間Ｓ（図３参照）の部分には、前記ケース１０を構成するモールド樹脂からなるクリック部１３が設けられている。
【００１７】
部品収納部１１の上部周囲には、上ケース載置部１５が設けられている。また下ケース１０の一端面（上ケース７０を取り付けた側の反対側の端面）には貫通する長穴からなる係止部挿入部１７が設けられている。係止部挿入部１７の下面側には図７に示すように切り欠き状の係止部折曲部１９が設けられている。
【００１８】
そして図３に示す導電部材等形成板１１０に取り付けた状態のままの導電部材２５，３０，３５と上ケース７０の固定部８０とを、下ケース１０形成用の金型のキャビティー内に位置せしめ、このキャビティー内に溶融モールド樹脂を圧入して冷却することで、導電部材２５，３０，３５と上ケース７０の固定部８０とをインサート成形した下ケース１０を製造する。その後各引出部２９，３２，３９，７７の部分を切断すれば、図１に示すケース１００が完成する。
【００１９】
次に摺動子４０は図１に示すように、弾性金属棒（棒状部材）を略「コ」字状であって中央の基部４１からアーム部４３，４３を突出してその先端に外側に向かって弧状に湾曲して突出する摺動接点４５，４５を設けて構成されている。
【００２０】
摺動型物５０は合成樹脂を略矩形状に一体成形して構成されており、その上面中央にはつまみ５１を突出して設け、つまみ５１のスライド方向の一側部には開口からなるオンオフ状態表示部５３を設けている。ここで図４は摺動子４０と摺動型物５０とを裏面側から見た斜視図である。同図に示すように摺動型物５０の裏面には摺動子４０の基部４１を挿入・係止する溝状の摺動子固定部５５と、摺動子固定部５５の面と同じ面まで凹状に凹むことで摺動子４０のアーム部４３，４３を摺動型物５０の厚み内に収納するアーム部収納部５７，５７とを設けている。
【００２１】
そしてスライド式スイッチ１を組み立てるには、まず図４に示すように摺動型物５０の下面の摺動子固定部５５に摺動子４０の基部４１を挿入すると共に両アーム部４３，４３をアーム部収納部５７，５７内に位置させた状態のものを、図１に示すように下ケース１０の部品収納部１１内に挿入し、次に上ケース７０の下ケース１０に固定された部分から突出している部分、即ち折曲部７９の部分を折り曲げることで上ケース７０を下ケース１０上に被せ、上ケース７０の係止部７３を下ケース１０の係止部挿入部１７に挿入し、さらにスリット７５の部分で係止部７３の先端側部分を外側に向けて折り曲げる（図７参照）ことで係止して上ケース７０を下ケース１０に固定する。
【００２２】
以上のように本実施形態にかかるケース１００は、下ケース１０に固定した上ケース７０を折り曲げて下ケース１０上に被せるだけでその組み立てが完了するので、例え下ケース１０と上ケース７０の寸法が小さくても、両者間の位置合わせ等が不要で、容易にその組み立てが行なえる。
【００２３】
なお上記実施形態ではケース１００を導電部材等形成板１１０から完全に切り離した後に摺動型物５０等を組み込んだが、引出部７７の部分だけを切断することで上ケース７０だけを導電部材等形成板１１０から切り離し、下ケース１０を導電部材等形成板１１０に固定した状態のまま摺動型物５０等を組み込んでその上に上ケース７０を被せ、その後引出部２９，３２，３９の部分を切断するように組み立てても良い。
【００２４】
図５は以上のようにして組み立てられたスライド式スイッチ１の斜視図、図６は平面図、図７は概略断面図である。これらの図に示すように摺動型物５０のつまみ５１は上ケース７０のつまみ挿入穴７１から突出している。また図７に示すように摺動子４０はその基部４１が摺動型物５０に設けた摺動子固定部５５とケース１０表面間に挟持されることで摺動型物５０に取り付けられている。
【００２５】
このとき図６に示すように、摺動子４０の両摺動接点４５，４５はそれぞれコモン電極パターン２７と一方のオンオフパターン３７に当接しており、これによって引出部２９と引出部３９間をオンしている。
【００２６】
そして図６に示す状態からつまみ５１を矢印Ａ方向に移動すれば、摺動型物５０と共に摺動子４０も矢印Ａ方向に移動し、両摺動接点４５，４５がクリック部１３と第二クリック部２８を乗り越えてコモン電極パターン２７と他方のオンオフパターン３３に当接し、これによって引出部２９と引出部３９間がオフして引出部２９と引出部３２間がオンする。両摺動接点４５，４５がクリック部１３と第二クリック部２８を乗り越える際にクリック感覚を生じる。
【００２７】
２つのクリック部１３，２８を設けたのは、小型でも確実なクリック感覚が得られ、また絶縁モールド樹脂製のクリック部１３を設けて両オンオフパターン３３，３７間を仕切ることで、摺動接点４５がオンオフパターン３３，３７間を移動する際のオンオフを確実にさせる等のためである。
【００２８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。上記実施形態にかかるスライド式スイッチは、下ケース１０の側面に設けた摺動子当接面に摺動子の摺動接点を当接するように構成することでその薄型化を図っているが、本発明にかかる電子部品用ケースはこのような構造のものに限定されず、摺動型物の下面に摺動子を取り付けてケースの底面に設けた摺動子当接面に摺動子を当接させる構造等の他の各種構造の電子部品についても適用できる。また上記実施形態では本発明をスライド式スイッチに適用した例について説明したが、スライド式可変抵抗器等の他のスライド式電子部品に適用しても良く、さらにスライド式電子部品に限らず、回転式電子部品等の他の各種電子部品用のケースに適用しても良い。
【００２９】
【発明の効果】
以上詳細に説明したように本発明によれば、たとえスライド式電子部品等の各種電子部品が小型化されてもその製造・組み立てを容易に行なうことができるという優れた効果を有する。
【図面の簡単な説明】
【図１】本発明の一実施形態を用いて構成したスライド式スイッチ１の分解斜視図である。
【図２】ケース１００を反対側の側面から見た斜視図である。
【図３】下ケース１０にインサート成形される３枚の導電部材２５，３０，３５と上ケース７０とを一体に形成した導電部材等形成板１１０を示す斜視図である。
【図４】摺動子４０と摺動型物５０とを裏面側から見た斜視図である。
【図５】スライド式スイッチ１の斜視図である。
【図６】スライド式スイッチ１の平面図である。
【図７】スライド式スイッチ１の概略断面図である。
【符号の説明】
１  スライド式スイッチ
１０  下ケース
１１  部品収納部
１３  クリック部
１７  係止部挿入部
２５，３０，３５  導電部材
２７  コモン電極パターン（摺動子当接用パターン）
２８  第二クリック部
２９，３２，３９  引出部
３３，３７  オンオフパターン（摺動子当接用パターン）
４０  摺動子
４１  基部
４３，４３  アーム部
４５，４５  摺動接点
５０  摺動型物
５１  つまみ
５５  摺動子固定部
５７  アーム部収納部
７０  上ケース
７１  つまみ挿入穴
７３  係止部
７５  スリット
７７  引出部
７９  折曲部
８０  固定部
１００  ケース（電子部品用ケース）
１１０  導電部材等形成板
【図１】
0003818904.tif 000002
【図２】
0003818904.tif 000003
【図３】
0003818904.tif 000004
【図４】
0003818904.tif 000005
【図５】
0003818904.tif 000006
【図６】
0003818904.tif 000007
【図７】
0003818904.tif 000008